【手続補正書】
【提出日】令和1年9月5日(2019.9.5)
【手続補正１】
【補正対象書類名】明細書
【補正対象項目名】００４０
【補正方法】変更
【補正の内容】
【００４０】
本発明は、上に提示した実施態様だけに限定されないこと、及び添付の特許請求の範囲内において本発明を変更することができることは明白である。
本件出願は、以下の構成の発明を提供する。
（構成１）
機械の機械液体漏れによって生じた蛍光性液着色を木部繊維ウェブから検出する方法であって、
該木部繊維ウェブを製造する該機械の中で蛍光液を使用すること;
該木部繊維ウェブのエリアに紫外光源によって紫外光を導くことによって、該ウェブのエリアを照らすこと;
該紫外光によって照らされた該エリアの少なくとも一部分の画像を、帯域通過カラーフィルタを備える画像化デバイスによって捕捉すること;
該捕捉した画像の画像データを画像データ処理デバイスに伝送すること;及び
該捕捉した画像が、該カラーフィルタを通過した蛍光を発する蛍光性液着色を含むかどうかを解析し、同時に非蛍光性欠陥を検出すること
を含む、前記方法。
（構成２）
前記紫外光源によって照らされた前記画像を捕捉した後に、前記木部繊維ウェブの前記エリアに非紫外光源によって非紫外光を導くことによって、該ウェブの該エリアを照らすこと;
該非紫外光によって照らされた該エリアの少なくとも一部分の画像を、前記画像化デバイスによって捕捉すること;及び
該捕捉した該非紫外光によって照らされた該画像が非蛍光性欠陥を含むかどうかを解析すること
をさらに含む、構成1記載の方法。
（構成３）
前記捕捉された画像が、1つおきに、前記紫外光を用いて照らされた画像であり、1つおきに、前記非紫外光を用いて照らされた画像である、構成1又は2記載の方法。
（構成４）
前記捕捉された画像のうちの一部の画像が、前記紫外光を用いて照らされた画像であり、残りの画像が、前記非紫外光を用いて照らされた画像である、構成1又は2記載の方法。
（構成５）
前記木部繊維ウェブが紙又は板紙ウェブである、構成1から4のいずれか一項記載の方法。
（構成６）
前記カラーフィルタが、画像化デバイスのレンズの前に追加される、構成1から5のいずれか一項に記載の方法。
（構成７）
前記カラ―フィルタが、前記画像化デバイスの一部分又は該画像化デバイスの画像化センサである、構成1から5のいずれか一項に記載の方法。
（構成８）
前記カラーフィルタが、約520〜550nmの波長を通過させる緑色フィルタ又は約640〜730nmの波長を通過させる赤色フィルタである、構成1から7のいずれか一項に記載の方法。
（構成９）
前記蛍光液が、蛍光マーカを液体に加えることによって製造される、構成1から8のいずれか一項に記載の方法。
（構成１０）
前記蛍光液が本質的に蛍光性である、構成1から8のいずれか一項に記載の方法。
（構成１１）
前記蛍光液によって発せられる前記蛍光が、前記カラーフィルタを通過する波長に対応する、構成1から10のいずれか一項に記載の方法。
（構成１２）
前記捕捉した画像の強度レベルを増大させることをさらに含む、構成1から11のいずれか一項に記載の方法。
（構成１３）
前記非蛍光性欠陥が、穴、点、筋又はしわである、構成1から12のいずれか一項に記載の方法。
（構成１４）
前記ウェブの端を同時に検出することをさらに含む、構成1から13のいずれか一項に記載の方法。
（構成１５）
前記非紫外光源がLEDである、構成2から14のいずれか一項に記載の方法。
（構成１６）
木部繊維ウェブから液体着色を検出するマシンビジョンシステムであって、検出される対象となる該液体着色が蛍光性であり、蛍光液を使用して該木部繊維ウェブを製造する機械から漏れたものであり、該マシンビジョンシステムが、帯域通過カラーフィルタを備える画像化デバイスと紫外光源とを備え、該紫外光源が、該ウェブのエリアに紫外光を導くように構成されており、該画像化デバイスが、該紫外光によって照らされた該エリアの画像を該カラ―フィルタを用いて捕捉し、該捕捉した画像の画像データを画像データ処理デバイスに伝送するように構成されており、該画像データ処理デバイスは、該捕捉した画像が、該カラーフィルタを通過した波長スペクトルの蛍光を発する蛍光性液着色を含むかどうかを解析し、同時に非蛍光性欠陥を検出するためのデバイスである、前記マシンビジョンシステム。
（構成１７）
非紫外光を導く少なくとも1つの追加光源をさらに備え、該少なくとも1つの光源が、前記ウェブのエリアに非紫外光を導くように構成されており、前記画像化デバイスが、前記紫外光によって照らされた前記画像を捕捉した後に、該非紫外光によって照らされた該エリアの画像を捕捉し、該捕捉した画像の画像データを画像データ処理デバイスに伝送するように構成されており、該画像データ処理デバイスは、非蛍光性欠陥を検出するために解析するためのデバイスである、構成16記載のマシンビジョンシステム。
（構成１８）
前記捕捉された画像が、1つおきに、紫外光を用いて照らされた画像であり、1つおきに、非紫外光を用いて照らされた画像である、構成16又は17記載のマシンビジョンシステム。
（構成１９）
前記捕捉された画像のうちの一部の画像が、紫外光を用いて照らされた画像であり、残りの画像が、非紫外光を用いて照らされた画像である、構成16又は17記載のマシンビジョンシステム。
（構成２０）
木部繊維ウェブが紙又は板紙ウェブである、構成16から19のいずかに記載のマシンビジョンシステム。
（構成２１）
前記カラーフィルタが、画像化デバイスのレンズの前に追加されるか、又は該カラ―フィルタが、該画像化デバイスの一部分若しくは該画像化デバイスの画像化センサである、構成16から20のいずかに記載のマシンビジョンシステム。
（構成２２）
前記カラーフィルタが、約520〜550nmの波長を通過させる緑色フィルタである、構成16から21のいずれか一項に記載のマシンビジョンシステム。
（構成２３）
前記蛍光液が、蛍光マーカを液体に加えることによって製造される、構成16から22のいずれか一項に記載のマシンビジョンシステム。
（構成２４）
前記蛍光液が本質的に蛍光性である、構成16から23のいずれか一項に記載のマシンビジョンシステム。
（構成２５）
前記蛍光液によって発せられる前記蛍光が、前記カラーフィルタを通過する波長に対応する、構成16から24のいずれか一項に記載のマシンビジョンシステム。
（構成２６）
前記画像化デバイスがさらに、前記捕捉した画像の強度レベルを増大させるように構成された、構成16から25のいずれか一項に記載のマシンビジョンシステム。
（構成２７）
前記非蛍光性欠陥が、穴、点、筋又はしわである、構成16から26のいずれか一項に記載のマシンビジョンシステム。
（構成２８）
前記画像化デバイスがさらに、同時に前記ウェブの端を検出するように構成された、構成16から27のいずれか一項に記載のマシンビジョンシステム。
（構成２９）
前記非紫外光源がLEDである、構成17から28のいずれか一項に記載のマシンビジョンシステム。
（構成３０）
非一時的コンピュータ可読媒体上に具現化されたコンピュータプログラム製品であって、少なくとも1つのプロセッサ上で実行されたときに、システムに方法を実行させるように構成されたコンピュータプログラムコードを含み、該方法が、
木部繊維ウェブのエリアに紫外光源によって紫外光を導くことによって、該ウェブのエリアを照らすこと;
該UVによって照らされた該エリアの少なくとも一部分の画像を、帯域通過を備える画像化デバイスによって捕捉すること;
該捕捉した画像の画像データを画像データ処理デバイスに伝送すること;
該捕捉した画像が、カラーフィルタを通過した蛍光を発する蛍光性液着色を含むかどうかを解析し、同時に非蛍光性欠陥を検出すること
を含む、前記コンピュータプログラム製品。
（構成３１）
前記システムに、構成3から15のいずれか一項に記載の方法をさらに実行させる、構成30に記載のコンピュータプログラム製品。